Podtech/llm-jp-corpus-v4-ja_patent huggingface dataset:
(57)【要約】【課題】配達されてきた封書の封筒表面に貼られた重合表紙を剥ぎ取るだけで、その封筒を返信用封筒として再利用できるようにする。【解決手段】封筒本体１の表紙１ａに弱接着層を介して重合表紙５が剥離可能に貼り付けられており、重合表紙５の表面に宛て先を記載して郵送が行われる。その受取人が、斜め切欠き部７の部分から重合表紙５を剥がして、封筒本体１の表紙１ａを露出させると、同表紙１ａには予め返信用の宛先が印刷されているので、直ちに返信用封筒として再利用することができる。【選択図】図１
2005053562.tif 000002
【特許請求の範囲】
【請求項１】
一端に開口部を有する長方形の封筒本体と、同封筒本体の表紙から張り出して折り曲げられ上記開口部を封緘しうる封緘片とを備えるとともに、上記表紙に弱接着層を介して剥離可能に貼り付けられた重合表紙と、同重合表紙から張り出して折り曲げられ上記封緘片を覆いうるように同封緘片よりもサイズを大きくされた重合封緘片とを備え、上記重合表紙により覆われる上記表紙の表面に、予め返信用宛先が印刷により施され内蔵されていることを特徴とする、返信用宛先内蔵型封筒。
【請求項２】
上記重合表紙の下辺の一側部に、同重合表紙を剥がし始める際に手の指または爪を掛けるための斜め切欠き部が形成されていることを特徴とする、請求項１に記載の返信用宛先内蔵型封筒。
【発明の詳細な説明】
【技術分野】
【０００１】
本発明は、封書の郵便物を受け取った受信者が直ちに返信できるように、同郵便物の封筒を返信用封筒として再利用可能にした返信用宛先内蔵型封筒に関する。
【背景技術】
【０００２】
使用済みの封筒の再利用を図るようにしたものとしては、同封筒の表面の宛名の書いてある部分を二重に作成して、使用済みの表面の１枚を切り落とすことにより、新品の封筒と同様に使用できるようにしたものがある。
【０００３】
しかしながら、上記封筒では、使用済みの表面の１枚を除去するのに手間がかかり、返信用封筒として再使用する場合はその宛先を記載しなければならないので、緊急に返信を要する際には、全く別の新しい封筒が使用されることになる。
【特許文献１】実開平６−２７５７６号公報
【発明の開示】
【発明が解決しようとする課題】
【０００４】
解決しようとする問題点は、郵便物として送られてきた封筒を返信用の封筒に再生する場合の手間の複雑さと、宛先を新たに記載しなければならないという点にある。
【課題を解決するための手段】
【０００５】
本発明は、封筒の表紙に予め返信用宛先を印刷しておき、その上に、送信用宛先を記載しうる重合表紙を剥離可能に接着したことを主要な特徴とする。
【発明の効果】
【０００６】
本発明の返信用宛先内蔵型封筒では、会社などから顧客宛に返信を求める封書を郵送する際に、その封筒内に返信用封筒を折り畳んで封入したり、小型の返信用封筒を封入したりする必要がない。
【０００７】
また、上記封書を郵便物として受け取った顧客が返信を行う際には、その封筒の重合表紙を剥がすと、その下の表紙に返信用宛先が既に印刷されているので、宛先を書く手間がかからない。
【発明を実施するための最良の形態】
【０００８】
封筒の表紙および重合表紙の各下部に差出人の住所、名称または氏名を記載できるようにして、発信および返信のいずれの場合も、能率よく使用できるようにした。
【実施例１】
【０００９】
図１は本発明封筒の１実施例の正面図、図２は図１のＡ−Ａ矢視拡大断面図、図３は図１の封筒の重合表紙を剥離した状態を示す正面図である。
【００１０】
図１〜３に示すように、長方形の封筒本体１の一端に開口部２が形成され、同開口部２を封緘しうる封緘片３が、封筒本体１の表紙１ａから突出して折り曲げ可能に設けられている。
【００１１】
また表紙１ａには、弱接着層４を介して、剥離可能に貼り付けられた重合表紙５と、同重合表紙５から突出して折り曲げられ封緘片３を覆いうるように同封緘片３よりもサイズを大きくされた重合封緘片６とが備えられている。
【００１２】
そして、重合表紙５により覆われる表紙１ａの表面に、図３に示すごとく、予め返信用宛先が印刷により施されて重合表紙５の下側に内蔵されるようになっている。
【００１３】
さらに、重合表紙５の下辺の一側部には、同重合表紙５を剥がし始める際に手の指または爪を掛けるための斜め切欠き部７が形成されている。
【００１４】
なお、図２に示すように、本実施例では、封筒を使用する際に、封筒本体１の内部に観光旅行申込み用紙８が封入されるようになっており、これを受け取った顧客は、同申込み用紙８に記入の上、封筒本体１に入れ、重合表紙５を剥ぎ取って、図３に示す表紙１ａに印刷された返信用宛先を露出させるようにする。
そして、封筒本体１の差出人の住所および氏名の欄に記入し、封緘片３を糊付けして、発送の準備が完了するようになる。
【００１５】
このように、本実施例では封筒の表紙１ａおよび重合表紙５の各下部に差出人の住所、名称または氏名が記載されるようになっていて、発信および返信のいずれの際にも能率よく使用することができる。
【００１６】
なお、表紙１ａと重合表紙５との間に介在する弱接着層４は、表紙１ａおよび重合表紙５の周縁部のみに設けるようにしてもよい。
また、本実施例では、封筒本体１が縦長のものとして示されているが、本発明は横長の封筒にも適用することができる。
【００１７】
さらに、重合封緘片６を封筒本体１の裏面へ折り返して貼付する際には、その内側の封緘片３に糊がかからないように糊付けされる。
【産業上の利用可能性】
【００１８】
送信用の封筒と返信用の封筒との各機能が、封筒本体に重合表紙を弱接着層を介し剥離可能に貼り付けるだけで得られるので、資源の節約に寄与することができ、また返信用宛先が内蔵されているので、重合表紙を封筒本体から剥ぎ取るという極めて簡単な操作で返信用封筒に変換できる利点が得られる。
【図面の簡単な説明】
【００１９】
【図１】返信用宛先内蔵型封筒の正面図である。
【図２】図１のＡ−Ａ矢視拡大断面図である。
【図３】図１の封筒の重合表紙を剥ぎ取った状態を示す正面図である。
【符号の説明】
【００２０】
１  封筒本体
１ａ  表紙
２  開口部
３  封緘片
４  弱接着層
５  重合表紙
６  重合封緘片
７  斜め切欠き部
８  観光旅行申込み用紙
【図１】
2005053562.tif 000003
【図２】
2005053562.tif 000004
【図３】
2005053562.tif 000005
(57)【要約】      （修正有）【課題】  電子機器製品の梱包作業の際に、製品に取付けた緩衝材が作業中に外れることなく円滑な梱包作業が行え、圧迫による製品表面の変形や損傷の心配が少なく、緩衝材の取付け作業を小さな力で簡単に行える緩衝材を提供する。【解決手段】緩衝材１に製品脚部、又は突起部５に連結するリブ６を設ける。製品２への緩衝材１の取付けでは、緩衝材１を製品２の側面から中央に向けてスライドさせることにより、緩衝材１の材質が有する弾力性によって、製品脚部、又は突起部５がリブ６の斜面７に沿って挿入され、リブ６は製品脚部、又は突起部５を圧迫することなく連結され、仮固定される。製品を開梱する際には、製品２中央より外向きに緩衝材を引き抜く事により、リブ６の斜面８に沿って外す事が可能となる。【選択図】      図２
2005053531.tif 000002
【特許請求の範囲】
【請求項１】
電子機器製品の梱包用緩衝材として、製品脚部、又は突起部に連結する事を目的とするリブ形状を備え、発泡ポリスチレン(PS)、発泡ポリエチレン(PE)、発泡ポリプロピレン(PP)から選ばれる一種の材質で、発泡成形、又は貼り合せ及び切り出しにより形状を成す事を特徴とする緩衝材。
【請求項２】
電子機器製品の梱包手段として、緩衝材を被梱包物に連結させ仮固定する事を特徴とした梱包方法。
【発明の詳細な説明】
【技術分野】
【０００１】
本発明は、電子機器製品の円滑な梱包作業を可能とする緩衝材に関する。
【背景技術】
【０００２】
電子機器製品梱包用の緩衝材について、オーディオ装置の梱包形態を例に挙げて説明する。
図１は、従来のオーディオ装置における梱包形態を示す斜視図である。
以下に製品の梱包手順を3工程に分けて説明する。
梱包工程A：製品２を包装シート３で包む。
梱包工程B：包装シート３で包まれた製品の四隅に緩衝材１を取付ける。
梱包工程C：緩衝材の取付けられた製品を、梱包箱４の中に収納し蓋を閉じる。
【０００３】
緩衝材は梱包工程Bにおいて、下記に示すイ・ロの2つの理由により製品に隙間なく嵌合する必要がある。
理由イ：輸送中に、製品が梱包箱の中でガタ付いて破損するのを防止する。
理由ロ：梱包工程Cおいて、梱包工程BからCの工程に移る際に緩衝材が製品から外れないようにする。
【０００４】
従来、緩衝材を製品に対し隙間なく嵌合させる方法は、緩衝材の製品に対する嵌合調整により実施されてきた。
この嵌合調整とは、緩衝材を手作りで試作し製品との嵌め合いを確認した後、緩衝材が発泡成形で製作される成形品である場合は、緩衝材を量産するために必要な金型の製作過程で更に調整していた。
【０００５】
緩衝材の構成で梱包作業性を向上させた従来技術を紹介する。
従来技術の例は、幾つかの緩衝材を予め段ボール板に貼り付けておき、製品と緩衝材とを組み合わせる際に緩衝材の位置ずれや外れを防止した考案である。
【特許文献１】特開平１１−０４９１３７号公報
【発明の開示】
【発明が解決しようとする課題】
【０００６】
背景技術として紹介した通り、緩衝材は製品に隙間なく嵌合する事により、その効果を果たす事が可能になる。
特に「理由ロ」の対応として緩衝材は強く製品と嵌め合う事を必要とする。
しかし、製品が緩衝材に強く嵌合した場合、外観部を緩衝材により強く圧迫する事になり、外観部の表面を変形や損傷させる恐れがある。
更に、嵌め合いで外れ難く調整した緩衝材は、外れ難い反面製品に取付け難い傾向があり、そのため梱包作業が困難になる。
【０００７】
一方、「特許文献１」で示した発明では、ダンボール板に緩衝材を貼り付ける事により複合型となってしまったことから、緩衝材自体が複雑且つ大型化してしまい、緩衝材の生産及び管理コストが増大すると共に、使用後のリサイクルに対しても材料毎の分離作業に手間がかかるといった問題がある。
【課題を解決するための手段】
【０００８】
本発明は、発泡成形で形成された緩衝材自体が、包装シートに包まれた製品脚部、又は突起部に連結し緩衝材が製品に仮固定する事により、製品を梱包箱に収納するまでの作業過程で緩衝材が外れないようにする事で円滑な梱包作業を可能とする。
【発明の効果】
【０００９】
緩衝材の製品への取付けを、製品脚部、又は突起部を利用して仮固定させる事により、梱包箱に収納する際に、製品から緩衝材が外れ難く梱包作業がし易い。
同時に、仮固定する方法は嵌合をきつくする事でないため、製品の外観部を強く圧迫する事がなく、圧迫による製品表面、特に化粧部の変形や損傷の心配が少ないほか、緩衝材の取付け作業も小さな力で簡単に行う事が可能となる。
又、製品脚部、又は突起部に対しても緩衝材を仮固定する事で輸送時の保護特性に何ら影響を与えず、緩衝材の設計条件に制約を加えない。
【発明を実施するための最良の形態】
【００１０】
本願の請求項１に記載の発明については、背景技術で説明の事例同様、電子機器製品の梱包工程を例に説明する。
尚、梱包工程A及びCについては、従来技術と何ら変わることがないため、説明を省略し背景技術で示した構成要素と同一の部分については同符号を用いる。
【００１１】
梱包工程Bの緩衝材１の取付けでは、四つの緩衝材を製品２の側面から製品中央にむけてスライドさせることにより、製品２の底面に配置された脚部、又は突起部５に対し緩衝材１のリブ６が連結する。
連結方法は、緩衝材６の材質自身が有する弾力性によって、製品の脚部、又は突起部５がリブ６の斜面７に沿って挿入され、緩衝材に製品が完全に挿入されるとリブ６は脚部、又は突起部５を圧迫することなく連結される。
この時、斜面７の傾斜は製品脚部、又は突起部５の挿入し易さを考慮し、実験結果に基づき傾斜３０°〜４０°に設定する。
又、製品購入者が製品を開梱する際には、製品中央より外向きに緩衝材を引き抜く事により、緩衝材１のリブ６の斜面８に沿って外す事が可能となる。
この時、斜面８の傾斜は脚部又は突起部５からの外れ難さを考慮し、実験結果に基づき傾斜５０°〜６０°に設定する。
【図面の簡単な説明】
【００１２】
【図１】オーディオ装置における従来の梱包形態を示す斜視図。
【図２】発明の実施の形態で主要部分の構成を示す構成図。
【図３】発明の実施による梱包形態を示す斜視図。
【符号の説明】
【００１３】
１  緩衝材  
２  製品（被梱包物）    
３  包装シート  
４  梱包箱
５  製品脚部、又は突起部
６  連結リブ
７  連結リブに設定した斜面（傾斜３０°〜４０°）
８  連結リブに設定した斜面（傾斜５０°〜６０°）
【図１】
2005053531.tif 000003
【図２】
2005053531.tif 000004
【図３】
2005053531.tif 000005
(57)【要約】      （修正有）【課題】従来のペットボトルは指や手を掛ける取っ手やフックなどがなく、そのため本体を手で直接持つと水分が手に付着し不便、不快である。また、はずしたキャップも紛失等の問題がある。本発明は、これらの問題点を解消するためキャップに指を掛けるリングとキャップを掛ける２個のフックを持つペットボトルを提供するものである。【解決手段】キャップ１と一体化した指を掛けるリングリング２を指掛けとし不便、不快さの解消を図り、更にフック３を持ち物のベルト等に掛ければ両手が使うことができより便利である。また、キャップ１の下のリング６にある２個のフック５にフック３、または、リングタブ４を掛ければキャップ１の紛失はなくなる。【選択図】図２
2005053572.tif 000002
【特許請求の範囲】
【請求項１】
指を掛けるリング２、持ち物のベルト等に掛けるフック３、指を掛けるリング２を上に引き起こすリングタブ４、キャップ１と指を掛けるリング２を止めるリング止め７を一体化させたキャップ１を持つペットボトル。
【請求項２】
キャップ１を掛ける２個のフック５を持つキャップ下のリング６を持つペットボトル。
【発明の詳細な説明】
【発明の詳細な説明】
【技術分野】
【０００１】  本発明は、指を掛けるリング２とキャップ１を掛けるフック３を一体化したキャップ１と、２個のフック５のあるキャップ下のリング６を持つペットボトルに関するものである。
【背景技術】
【０００２】  小、中型のペットボトルは手や指で持つ取っ手やフックなどがなく、また、開けたキャップを紛失しないよう保持するところや手段がなく不便である。
【発明の開示】
【発明が解決しようとする課題】
【０００３】  従来のペットボトルは手や指で持つ取っ手やフックなどがなく、ペットボトル本体を手で直接持つしかない。そのため水分が手に付着し不便、不快である。また、開封したキャップは保持するところも手段もないため、手に持つか他の所に置くしか方法はなく場合によれば紛失することになる。
本発明は、以上の問題点を解消しようとするものである。
【課題を解決するための手段】
【０００４】  本発明は、キャップ１と一体化した指を掛けるリング２を上に引き起こせば、指を掛けるリング２に指を掛けられるので、不便、不快は解消できる。更にキャップ１と一体化したフック３を持ち物のベルト等に掛ければ、両手が使えるのでより便利である。また、キャップを掛ける２個のフック５にキャップ１のフック３、または、リングタブ４を掛ければキャップの紛失もなくなる。
【発明の効果】
【０００５】  本発明を使用すれば、ボトルを直接手に持つ時の不便、不快さは解消され、キャップもボトルから離れないので、紛失等の問題点も解消できる。
【発明を実施するための最良の形態】
【０００６】下記は、本発明の実施の形態を説明するものである。
（１）キャップ１に指を掛けるリング２、持ち物のベルト等に掛けるフック３、指を掛けるリング２を上に引き起こすリングタブ４、キャップ１と指を掛けるリング２を止めるリング止め７を一体化させる。
（２）キャップ下のリング６にキャップ１を掛ける２個のフック５を一体化させる。
本発明は以上の構成よりなる。
本発明は、まず、ペットボトルを持ち歩く時は指を掛けるリング２をリングタブ４で上に起しリング止め７から離せば指を掛けられるようになる。またキャップ１と一体化したフック３は持ち物のベルト等に掛けられ両手が自由に使えるようになる。そして、開封したキャップ１は２個のフック５にフック３、または、リングタブ４を掛ければボトルから分離されることはなく紛失することはない。
【図面の簡単な説明】
【図１】本発明の斜視図
【図２】本発明の使用状態図
【図３】本発明の使用状態図
【符号の説明】
１キャップ、２指を掛けるリング、３ベルト等に掛けるフック、４リング２を上に起すリングタブ、５キャップ１を掛ける２個のフック、６キャップ下のリング、７キャップ１とリング２を止めるリング止め
【図１】
2005053572.tif 000003
【図２】
2005053572.tif 000004
【図３】
2005053572.tif 000005
(57)【要約】      （修正有）【課題】開度が変化する排出口を持つ１個の容器で練り状及び液状の内容物を排出させることができる、指で内容物を押し出す樹脂製や金属性の容器を提供する。【解決手段】指で内容物を押し出す樹脂製や金属性の容器１に装着する台座４に円環状に配置された複数の可逆性舌片状の樹脂製板の排出口２を可調リング３を回転させ上下に可動させることで排出口２の開度を変化させる。【選択図】図１
2005053573.tif 000002
【特許請求の範囲】
【請求項１】
指で内容物を押し出す樹脂製や金属性の容器１に装着する台座４に円環状に配置する複数の可逆性舌片状の樹脂製板の排出口２を持つ、指で内容物を押し出す樹脂製や金属性の容器１
【請求項２】
円環状に配置する複数の可逆性舌片状の樹脂製板の排出口２の開度を変化させるため回転することで上下する可調リング３を持つ指で内容物を押し出す樹脂製や金属性の容器１
【発明の詳細な説明】
【発明の詳細な説明】
【技術分野】
【０００１】  本発明は可調リング３で開度が変化する複数の可逆性舌片状の樹脂製板による排出口２を持つ練り状及び液状の内容物が入る、指で内容物を押し出す樹脂製や金属性の容器１に関するものである。
【背景技術】
【０００２】  従来の練り状及び液状の内容物が入る、指で内容物を押し出す樹脂製や金属性の容器は一定の開度の排出口しかなく使用目的により別々の容器を使い分けるという煩わしさ、不便さがある。
【発明の開示】
【発明が解決しようとする課題】
【０００３】  一定の開度の排出口しか持たない、指で内容物を押し出す樹脂製や金属性の容器は使用目的により別々の大きさの、指で内容物を押し出す樹脂製や金属性の容器を使い分けるという煩わしさや不便さがある。この発明は１個の、指で内容物を押し出す樹脂製や金属性の容器１に開度が変化する排出口２を持たせ、指で内容物を押し出す樹脂製や金属性の容器を使い分けるという煩わしさや不便さを解消し、また、満足させられる、指で内容物を押し出す樹脂製や金属性の容器１に関するものである。
【課題を解決するための手段】
【０００４】  指で内容物を押し出す樹脂製や金属性の容器１に複数の可逆性舌片状の樹脂製板を円環状に配置し、可調リング３を可動させることで円環状に配置した複数の可逆性舌片状の樹脂製板による排出口２の開度を変化させるものである。
【発明の効果】
【０００５】  本発明を使用すれば、一個の、指で内容物を押し出す樹脂製や金属性の容器１で量や太さの違う練り状及び液状の内容物が排出させられるので、複数の、指で内容物を押し出す樹脂製や金属性の容器は必要とせず煩わしや、不便、不経済さは改善される。
【発明を実施するための最良の形態】
【０００６】  下記は、本発明の実施の形態を説明するものである。
（１）指で内容物を押し出す樹脂製や金属性の容器１に台座４に装着する円環状に配置した複数の可逆性舌片状の樹脂製板による排出口２
（２）円環状に配置した複数の可逆性舌片状の樹脂製板による排出口２の開度を変化させるため回転させると上下に可動する可調リング３
本発明は以上の構成よりなる。
本発明は、まず、指で内容物を押し出す樹脂製や金属性の容器１に装着する台座４の内側縁辺部に複数の可逆性舌片状の樹脂製板を円環状に配置する。配置の時は可逆性をより有効にする為、外側に横斜させる。可調リング３の内径は円環状に配置した複数の可逆性舌片状の樹脂製板の外径より小さい径とするため、可調リング３を台座４に装着した時、外側に横斜していたものが逆に内側に横斜した状態になり、この時、可逆性があるため複数の舌片状の樹脂製板は常に外側に戻ろうとする力が働くことになる。また、それぞれは一部が重合、滑接８するようになる。使用する時は可調リング３を回転させれば可調リング３が上下し、下に動いた時は複数の可逆性舌片状の樹脂製板を搾るようになるため排出口２の開度は小さくなり内容物の排出量は少なく、太さは細くなる。逆に上に動いた時は可逆性があるため外側に戻ろうとする力が働き排出口２の開度は大きくなり内容物の排出量は多く、太さは太くなる。また、台座４の他に、指で内容物を押し出す樹脂製や金属性の容器１の排出口の上端縁部に複数の可逆性舌片状の樹脂製板を円環状に配置し、指で内容物を押し出す樹脂製や金属性の容器１と一体化させる方法も有効である。
【図面の簡単な説明】
【０００７】
【図１】  本発明の斜視図（排出口２小）
【図２】  本発明の斜視図（排出口２大）
【図３】  本発明の断面図（台座４に装着する複数の可逆性舌片状の樹脂製板の排出口２）
【図４】  本発明の断面図（指で内容物を押し出す樹脂製や金属性の容器１の排出口の上端縁部に装着する複数の可逆性舌片状の樹脂製板の排出口２）
【符号の説明】
【０００８】  １容器、２複数の可逆性舌片状の樹脂製板の開度が変化する排出口、３可調リング、４台座、５指掛け溝、６レール、７キャップ、８重合、滑接部分、
【図１】
2005053573.tif 000003
【図２】
2005053573.tif 000004
【図３】
2005053573.tif 000005
【図４】
2005053573.tif 000006
(57)【要約】【課題】従来清涼飲料缶の開口時プルトップの開口部分が半円もしくは直線になっていて指がうまく入らず開けずらいので開けやすい方法にした【解決手段】プルトップ図１−３で開けやすくする為逆円形にしたプルトップの凹部を中心部側に広げたプルトップの中心部側に段差を付けた【選択図】図１
2005053575.tif 000002
【特許請求の範囲】
【請求項１】
プルトップ図１−３開けやすくする為に逆円型にした
【請求項２】
上ブタを図１−４中心部側へ広げた
【請求項３】
プルトップを上ブタと開きやすい様に段差を中心部側移動した。
【発明の詳細な説明】
【発明が解決しようとする課題】
【０００１】プルトップの開口部分図１−３が半円もしくは直線状になっていて指がきれいに入らない
上ブタとプルトップのかんかくが狭くて指が深く入らない
【課題を解決するための手段】
【０００２】プルトップの開口部分図１−の３が半円もしくは直線状になっているので指がうまく入らないので逆円形状にした、又上ブタの凹が狭すぎるので図１−４中心部の方へ広げた。
【図面の簡単な説明】
【０００３】
【図１】逆円形状のプルトップの取手
【図２】凹型の上ブタ
【符号の説明】
【０００４】１本缶
２缶の上ブタ
３プルトップの取手
４上ブタの凹部分
５プルトップの取手に段差を付した
【図１】
2005053575.tif 000003
【図２】
2005053575.tif 000004
(57)【要約】      （修正有）【課題】紛体材がブリッジ現象によりホッパー流出口より流出しなくなった場合、人的に力を加えずブリッジ現象を壊し、スムーズに紛体材を流出させること。【解決手段】紛体材が流出していないとセンサーが感知した場合、スクリュー回転装置が作動し、ブリッジ現象を壊し、かつ、強制的に紛体材を流出口より流出させる。ギア部に連結する軸１と、第１中間ギアに連結する軸２と、第中間ギアに連結する軸３と、軸３に直結するスクリューと、センサーとからなる。【選択図】図１
2005053685.tif 000002
【特許請求の範囲】
【請求項１】
駆動手段と、前記駆動手段の駆動力を伝達するギヤ部と、前記ギヤ部に連結する軸１と、前記軸１の回転運動を伝達する第１中間ギヤ部と、前記第１中間ギヤ部に連結する軸２と、前記軸２の回転運動を伝達する第２中間ギヤ部と、前記第２中間ギヤ部に連結する軸３と、前記軸３に直結するスクリューを設け、さらに、前記駆動手段の駆動力を制御するセンサーとからなることを特徴とするスクリュー回転装置。
【発明の詳細な説明】
【技術分野】
【０００１】
本発明は、ホッパー内の紛体材を効率よく流出させるスクリュー回転装置に関するものである。
【背景技術】
【０００２】
おもに、水分又は湿気を含む紛体材をホッパー下部の流出口より流出させる場合、図２に示すようないわゆるブリッジ現象が起こり、紛体材が流出しなくなるという問題をかかえていた。
【０００３】
図２のブリッジ現象を壊すため、ホッパー外部より人的に力を加えなければならず、大変な労力を必要としていた。
【発明の開示】
【発明が解決しようとする課題】
【０００４】
解決しようとする課題は、紛体材がブリッジ現象によりホッパー流出口より流出しなくなった場合、人的に力を加えずブリッジ現象を壊すことである。
【課題を解決するための手段】
【０００５】
ホッパー内の紛体材が、ブリッジ現象により流出口より流出しなくなった場合において、スクリュー回転装置が作動し、ブリッジ現象を壊し、紛体材を流出させる。
【発明の効果】
【０００６】
従来、ブリッジ現象が起こるたびに人的な力を加えなければならなかったが、スクリュー回転装置により強制的にブリッジ現象を壊し、紛体材を流出させることができる。
【０００７】
この時、スクリュー回転装置は紛体材の流出を感知するセンサーにより制御され、ブリッジ現象等で紛体材が流出しなくなった場合にのみ作動させることができるため、省力化を図ることができる。
【実施例】
【０００８】
本発明の実施例を、図１に沿って詳述する。図１は本実施例のスクリュー回転装置の断面図である。図１において、ホッパー外部に駆動手段と、前記駆動手段の駆動力を軸１に伝達するギヤ部があり、軸１はホッパー外部よりホッパー内部へ貫通している。
【０００９】
ホッパー内部には、軸１および軸１に連結されている第１中間ギヤ部と、前記第１中間ギヤ部に連結している軸２と、前記軸２に連結されている第２中間ギヤ部と、前記第２中間ギヤ部に連結されている軸３が、紛体材が浸入しない構造のケーシング１およびケーシング２内に蔵され、軸３がケーシング２内よりホッパー内部に衝き出した構造をとっている。また、スクリューは軸３に取替え可能な方法で直結し、自転および回転する。
【００１０】
この時、軸1および軸2はケーシング１に軸受けにより自転可能に固定され、軸３はケーシング２に軸受けにより自転可能に固定されている。
ケーシング１はホッパー内部に固定されており、ケーシング２はケーシング１にスラストベアリングで回転可能に取り付けられている。
【００１１】
センサーは、ホッパー下部の流出口付近に紛体材の流出を感知できるよう設置され、駆動手段と連動するよう配線されている。
【００１２】
センサーにより、紛体材が一定時間感知されない場合、駆動手段が作動し軸１を自転させ、第１中間ギヤ部により軸２を自転させ、第２中間ギヤ部により軸３を自転および回転させることにより、軸３に直結しているスクリューを自転および回転させることにより、ブリッジ現象を壊しながら、強制的に紛体材を流出させる。
【００１３】
紛体材が一定時間流出すると、センサーにより駆動手段が停止し、結果スクリューも停止する。また、一定時間センサーが紛体材の流出を感知しなければ、駆動手段が作動するといったように、省力化を図ることができる。
【図面の簡単な説明】
【００１４】
【図１】スクリュー回転装置の断面図
【図２】ブリッジ現象が起きた時の紛体材の様子
【符号の説明】
【００１５】
１  駆動手段
２  センサー
３  ギヤ部
４  軸１
５  第１中間ギヤ部
６  軸２
７  第２中間ギヤ部
８  軸３
９  スクリュー
１０  ケーシング１
１１  ケーシング２
１２  軸受け
１３  スラストベアリング
１４  ホッパー
【図１】
2005053685.tif 000003
【図２】
2005053685.tif 000004
(57)【要約】 【課題】ハンドレールからの表示シートの剥離を防止することのできる乗客コンベアの提供。【解決手段】無端状に連結される複数の踏段２と、平坦部３ａおよびこの平坦部３ａから延設される折れ曲がり部３ｂを備え踏段２と同期して回動するハンドレール３と、このハンドレール３の表面上に設けられる表示シート６とを備えた乗客コンベアにおいて、表示シート６は、ハンドレール３の平坦部３ａと折れ曲がり部３ｂとの間に位置する肩部３ｃまでを覆う構成にしてある。【選択図】図２
2005053653.tif 000002
【特許請求の範囲】
【請求項１】
無端状に連結される複数の踏段と、平坦部およびこの平坦部から延設される折れ曲がり部を備え前記踏段と同期して回動するハンドレールと、このハンドレールの表面上に設けられる表示シートとを備えた乗客コンベアにおいて、
前記表示シートは、前記ハンドレールの前記平坦部と前記折れ曲がり部との間に位置する肩部までを覆うことを特徴とする乗客コンベア。
【発明の詳細な説明】
【技術分野】
【０００１】
本発明は、エスカレータや電動道路などの乗客コンベアに関する。
【背景技術】
【０００２】
近時、乗客コンベアを広告媒体とする案が多数提案されその一部が実用化されるようになっている。その一例としてハンドレールの表面に表示シートを設けたものがある（例えば特許文献１、特許文献２参照）。
【特許文献１】特開平７−２０６３５２号公報（段落番号００１３〜００１９、図２）
【特許文献２】特表２００２−５３７２００号公報（段落番号００５６〜００６１、図５、図７、図１２）
【発明の開示】
【発明が解決しようとする課題】
【０００３】
前記提案されたものでは、表示シートがハンドレール表面全体を覆うように設けられ、或いは、平坦部に設けられているため、ハンドレールが屈曲部を通過する時、共に屈曲され、剥離し易いという問題があった。
【０００４】
本発明は、上述した従来技術における実状からなされたもので、その目的は、ハンドレールからの表示シートの剥離を防止することのできる乗客コンベアを提供することにある。
【課題を解決するための手段】
【０００５】
この目的を達成するため本発明では、無端状に連結される複数の踏段と、平坦部およびこの平坦部から延設される折れ曲がり部を備え前記踏段と同期して回動するハンドレールと、このハンドレールの表面上に設けられる表示シートとを備えた乗客コンベアにおいて、前記表示シートは、前記ハンドレールの前記平坦部と前記折れ曲がり部との間に位置する肩部までを覆う構成にしてある。
【発明の効果】
【０００６】
本発明によれば、表示シートは、ハンドレールの平坦部と折れ曲がり部との間に位置する肩部までを覆うため、ハンドレールの屈曲部の通過時に表示シートに作用する屈曲力の影響を低減することができ、ひいてはハンドレールから表示シートが剥離することを防止できる。
【発明を実施するための最良の形態】
【０００７】
以下、本発明の乗客コンベアの実施の形態を図に基づいて説明する。
【０００８】
図１は一般的な乗客コンベアであるエスカレータの全体構成を示す説明図、図２は本発明の一実施形態になる乗客コンベアに用いられるハンドレールの斜視図、図３は駆動ローラとハンドレールとの関係を示す図１のＡ−Ａ断面図である。
【０００９】
乗客コンベア１は図１に示すように、無端状に連結される複数の踏段２と、この踏段２と同期して回動するハンドレール３とが設けられている。そして、ハンドレール３の戻り側には、このハンドレール３を駆動する駆動プーリ４と、ハンドレール３を移動方向に沿って案内する多数の案内ローラ５とが設けられている。また、図３に示すように乗客コンベア１の構造体７に軸８を備えた支持体９が固設され、軸８にハンドレール３を挟持する駆動ローラ４ａ、４ｂが回転可能に軸支されている。
【００１０】
そして、本実施形態の乗客コンベア１は図２に示すように、ハンドレール３の表面上に設けられる表示シート６を備えているとともに、この表示シート６は、ハンドレール３の平坦部３ａと折れ曲がり部３ｂとの間に位置する肩部３ｃ、すなわち寸法Ｌで示す範囲までを覆うようになっている。
【００１１】
本実施形態の乗客コンベア１のハンドレール３は、図３に示すように駆動ローラ４ａ、４ｂによって挟持されて駆動力が付与され、踏段２と同期して移動する。このときハンドレール３の表面に設けられた表示シート６は駆動ローラ４ａに摺接しながら移動するとともに、表示シート６に付加された図示しない文字および絵により乗客コンベア１の利用者に対しての広告媒体として機能するようになっている。
【００１２】
本実施形態の乗客コンベア１によれば、表示シート６は、ハンドレール３の平坦部３ａと折れ曲がり部３ｂとの間に位置する肩部３ｃまでを覆うため、表示シートがハンドレール表面全体を覆う従来のものと比較し、ハンドレールの屈曲部の通過時に表示シートに作用する屈曲力の影響を低減することができ、ひいてはハンドレール３から表示シート６が剥離することを防止できる。
【００１３】
なお、平坦部３ａという表現は、若干の曲面の場合も含むものである。
【図面の簡単な説明】
【００１４】
【図１】一般的な乗客コンベアであるエスカレータの全体構成を示す説明図である。
【図２】本発明の一実施形態になる乗客コンベアに用いられるハンドレールの斜視図である。
【図３】駆動ローラとハンドレールとの関係を示す図１のＡ−Ａ断面図である。
【符号の説明】
【００１５】
１          乗客コンベア
２          踏段
３          ハンドレール
３ａ        平坦部
３ｂ        折り曲げ部
３ｃ        肩部
４ａ、４ｂ  駆動ローラ
５          案内ローラ
６          表示シート
【図１】
2005053653.tif 000003
【図２】
2005053653.tif 000004
【図３】
2005053653.tif 000005
(57)【要約】【課題】  従来型のボールペン等筆記用具及びペン型用具は、ポケットに差して携帯する場合、ポケットから落下しやすい。本発明は、落下を防止するための装置の付いたペンキャップを提供する。【解決手段】Ａ．ペンキャップ（１）とクリップ（３）の突起部（４）とが接する部分にゴム製の帯状リング（２）を取付ける。Ｂ．クリップの先端部にゴム製の突起（４）をつける。上記、Ａ．Ｂ．の装置を付けることにより衣服のポケット生地とペンクリップとの摩擦力が向上してペンがポッケットより落下しにくくなった事を特徴とする。【選択図】図１
2005053202.tif 000002
【特許請求の範囲】
【請求項１】
ペン軸本体、又はキャップ部（１）にゴム製の帯状リング（２）を取付ける。
【請求項２】
さらに、挟み部（以下、クリップという）（３）、にゴム製の突起部（４）を付ける。
これ等の装置によりペンがポッケットより滑り落ちるのを防止する。
【発明の詳細な説明】
【発明の詳細な説明】
【技術分野】
【００１】この発明は、ボールペン、万年筆、シャープペン等の筆記具を始め、ペンホルダー式印鑑等をシャツのポッケット等に差して携帯する際、クリップの保持力を増すための装置である。
【背景技術】
【００２】ボールペン、万年筆、等の筆記具及びペンホルダー式の用具には、従来、滑り落ち防止の為の装置としてのクリップがついており、その先端部分にはクリップと同じ材質の凸型突起が付いていた。
【発明が解決しょうとする課題】
【００３】これには次のような欠点があった。
イ．ワイシャツ、各種制服等は、薄くて滑りやすい生地で造られているため、これ等の衣服の胸ポッケットにペン等筆記具を差して携帯した場合、下を向いて作業をしたり、床の物を拾おうとした時に、そのペンはポッケットより滑り落ちた。
ロ．落下しない様にする為には片手でそのペンを押さえなければならず、大変不便であった。
ハ．本発明は、以上の欠点を解決する為になされたものである。
【課題を解決するための手段】
【００４】Ａ．ペンキャップ（１）とクリップ（３）の突起部が接する部分に、ゴム製の帯状リング（２）をペンキャップに取付ける。
Ｂ．クリップにゴ厶製の突起（４）をつける。
【発明を実施するための最良の形態】
【００５】以下、本発明の実施の形態を説明する。
イ．ペンキャップ（１）に突起部（４）が接する部分に、弾力性がありかつ滑りにくい材質のゴムで作られた帯状リング（厚さ１．５ｍｍ〜３ｍｍ、巾２０ｍｍ〜３０ｍｍ位）をキャップに差しこんで取付ける。
ロ．クリップが開くとボールペンの芯がペン軸内に自動的に収納されるための装置（仮称、自動ペン芯収納装置という）のついたボールペンの場合には、クリップの突起が当たる部分の帯状リングに角穴（５ｍｍ×１２ｍｍ位の大きさ）を開ける事により自動ペン芯収納装置の作用を妨げない為の処置を施す。
ハ．ゴムリングの取付け部のキャップ本体の肉厚は周辺の肉厚より１．５ｍｍ程度薄くしておき（図２）ゴムリングのズレを防ぐ。同時にポッケットへの差し込みをスムーズにする。
ニ．クリップの先端部分に、上記の材質で出来たゴ厶製の突起（高さ４ｍｍ、巾４ｍｍ、長さ７ｍｍ位）を取付ける。
【発明の効果】
【００６】本発明を使用する事により、ボールペン等の筆記具をはじめ、ペンホルダー型の他の用具を、ワイシャツ等の薄生地で出来た衣類の胸ポッケットに差して携帯してもペンが滑り落ちにくくなる。
【図面の簡単な説明】
【図１】本発明の斜視図
【図２】本発明のペンキャップのＡ−Ａ断面図
【図３】ゴム製帯状リングの拡大図
【図４】Ｂ−Ｂ断面図
【図５】自動ペン収納装置付きボールペン用のゴ厶製帯状リングの拡大図
【図６】Ｃ−Ｃ断面図
【図７】Ｄ−Ｄ断面図
【図８】クリップ先端部のゴム製突起の拡大図
【図９】Ｅ−Ｅ断面図
【符号の説明】
（１）ペンキャップ、    （２）ゴム製帯状リング
（３）クリップ、        （４）クリップ先端部のゴム製突起
【図１】
2005053202.tif 000003
【図２】
2005053202.tif 000004
【図３】
2005053202.tif 000005
【図４】
2005053202.tif 000006
【図５】
2005053202.tif 000007
【図６】
2005053202.tif 000008
【図７】
2005053202.tif 000009
【図８】
2005053202.tif 000010
【図９】
2005053202.tif 000011
(57)【要約】【課題】  絵画制作時、筆を取り替えるとき置き場に困り、絵の具の付いた筆と筆がふれ合って色を混ぜてしまったり、あちこちに色を付けてしまう事が多い。屋外での写生時などは特に筆の置き場に困る。【解決手段】  個々の筆先がふれ合わないような仕組みのある、バネ式クリップ仕様の筆立てをパレットやイーゼル等に装着する。筆がふれ合わない様に仕掛けられた仕組みは例えば、扇状に開くように傾斜のついた大小の穴４である。【選択図】図１
2005053201.tif 000002
【特許請求の範囲】
【請求項１】
バネ式クリップを利用した本体のつまみ部の片側を大きくし、材料の厚みに沿って傾斜をつけた大小複数の穴の作用で、挿した筆が扇状に開く絵画用の筆立て。
【発明の詳細な説明】
【技術分野】
【０００１】  この発明は、絵画の制作時に用いる筆立ての形状に関する。
【特許文献１】  実用新案公開  平７−７９８９
【背景技術】
【０００２】  従来の絵画用筆立ての形状は図５に示すように筆をたてる個所６が突起物であり、装着部７が表面に露出している物である。
【発明の開示】
【発明が解決しようとする課題】
【０００３】  しかしながら以上の技術によれば筆立て個所や装着部が突出している為、引っかけたりして破損する可能性が高く取り扱いにも注意が必要であった。
そこで、この発明は突出部を少なくして気を遣うことなく簡単に取り扱いが出来、筆と筆との間を開いて立てられる絵画用筆立てを提供することを課題とする。
【課題を解決するための手段】
【０００４】  以上の課題を解決する為にバネ式クリップを利用した筆立て本体の上部１に、挿した筆が扇状に広がるように傾斜をつけた大小複数の穴４を設けた。
【発明の効果】
【０００５】  傾斜をつけた穴を筆立て個所としたので突出した部分が無くなって破損率も低くなり、立てた筆と筆が扇状に開くので互いにふれ合うことも無い。又、バネ式クリップその物の利用でコンパクトで着脱が簡単にできるので扱いやすくなった。
【発明を実施するための最良の形態】
【０００６】  この発明の一実施形態を図１〜図４に示す。
パレットやイーゼルなどに取り付けるバネ式クリップ利用の本体上部１に、材料の厚みに沿って傾斜をつけた大小複数の穴４を設けたことを特徴とする。
【実施例】
【０００７】  この実施形態によればバネ式クリップを利用しているため着脱が簡単にでき、本体上部１に材料の厚みに沿って傾斜をつけた大小複数の穴４の働きで、挿した筆先は互いにふれ合うことなく扇形に開く。凸凹部が少ないので取り扱いが楽である。
【産業上の利用可能性】
【図面の簡単な説明】
【０００８】
【図１】本発明の正面からの透視図である。
【図２】本発明の分解斜視図である。
【図３】本発明の分解側面図である。
【図４】本発明の使用状態を示す斜視図である。
【図５】従来技術を示す斜視図である。
【符号の説明】
【０００９】１  クリップ本体上部
２  クリップ本体下部
３  バネ
４  傾斜をつけた穴（筆を挿す穴）
５  バネ取付部
６  従来技術の筆を挿す個所
７  従来技術の装着具
【図１】
2005053201.tif 000003
【図２】
2005053201.tif 000004
【図３】
2005053201.tif 000005
【図４】
2005053201.tif 000006
【図５】
2005053201.tif 000007
(57)【要約】【課題】            ドアフレーム装置のセンターピラーを構成する内部材の固定片をスポット溶接により外部材に固着している。そのため、固定片の幅寸法が大となり、車体の出入口開口部方向への突出量が大きくなり、見栄えが悪い。【解決手段】        内部材（１０）の固定片（９）に突起（１４）を複数個設け、プロジェクト溶接により内部材（１０）と外部材（７）を固着させる。これにより、固定片（９）の幅寸法は従来例に比し０．３倍に短縮できる。【選択図】          図２
2005053289.tif 000002
【特許請求の範囲】
【請求項１】
略離間平行して配されるセンターピラーとロアフレームとを有し、センターピラーとロアフレームとをメインフレームで結合するドアフレーム装置であって、センターピラーがウィンドガラスを受ける溝を有する外部材と、車体側のアウタパネルとウェザーストリップを介して当接自在な内部材とからなり、外部材の一端と内部材の一端とがプロジェクション溶接により結合したことを特徴とするドアフレーム装置。
【請求項２】
内又は外部材の一端であって、外又は内部材に接する面に長円形状にしてかつ離間した複数個の突起が内又は外部材のプレス成形時に設けられている請求項１に記載のドアフレーム装置。
【発明の詳細な説明】
【技術分野】
【０００１】
本発明は、外部材と内部材との結合面を改良したセンターピラーを有するドアフレーム装置に関する。
【背景技術】
【０００２】
車両のドアフレーム装置は、特開平９−７１１８４号公報に開示される如く、ウィンドガラスの昇降を案内するよう離間して配されるセンターピラーと、ロアフレーム（サッシ）及びセンターピラーとロアフレームを結合しかつウィンドガラスの上死点を画定するメインフレームとを有す。
【０００３】
センターピラーは、車外側にあってウィンドガラスの昇降を案内する溝を有する外部材と、外部材にスポット溶接されかつ車体のアウタパネルとシール部材を介して当接自在な内部材とから構成される。
【０００４】
【特許文献１】特開平９−７１１８４号公報
【特許文献２】特開平７−２５１６３５号公報
【発明の開示】
【発明が解決しようとする課題】
【０００５】
センターピラーを構成する内部材は車外側に開口した断面略Ｕ字状部分と、該部分の対向側壁の先端縁より略水平に延在する片を有し、一方の片が外部材に対しカールリング加工されて結合し、他方の固定片が外部材にスポット溶接される。
【０００６】
内部材の固定片の外部材へのスポット溶接は、スポット溶接代を確保するために、固定片の幅を大きくとる必要がある。
一方、この固定片はシール部材とともに、車体の出入口開口に延在し、乗員の目に直接触れることになるので、見栄えが悪い。
【０００７】
そこで、特開平７−２５１６３５号公報は、スポット溶接に代えてアーク溶接やレーザー溶接による固定片の外部材への固着を提案する。この提案は、スポット溶接を用いたときの固定片の幅を１とすると、固定片の幅を０．６倍迄低減できるが、見栄えの悪さの改善には役立っていない。
【課題を解決するための手段】
【０００８】
本発明は、前述した課題を解決するために、スポット溶接やアーク溶接に代えて、プロジェクション溶接を用いる。
【０００９】
本発明によれば、略離間平行して配されるセンターピラーとロアフレームとを有し、センターピラーとロアフレームとをメインフレームで結合するドアフレーム装置であって、センターピラーがウィンドガラスを受ける溝を有する外部材と、車体側のアウタパネルとウェザーストリップを介して当接自在な内部材とからなり、外部材の一端と内部材の一端とがプロジェクション溶接により結合したことを特徴とするドアフレーム装置が提供される。
【発明の効果】
【００１０】
本発明によれば、内部材又は外部材の面（固定片相当）の幅が従来の１に対し、０．３倍という小さな幅で良く、車体の出入口開口への突出がなく、見栄えの向上が著しく高い。
【発明を実施するための最良の形態】
【００１１】
本発明の好ましい実施の形態を図１乃至５を用いて説明する。
ドアフレーム装置１は、ウィンドガラスの昇降を案内するセンターピラー２と、センターピラー２とは離間して配されかつウィンドガラスの昇降を案内するロアフレーム３と、センターピラー２とロアフレーム３とを結合しかつウィンドガラスの上死点を画定するメインフレーム４を有す。
【００１２】
センターピラー２は、ウィンドガラス５の昇降を案内する断面略Ｕ字状の溝６を有する外部材７と、室内側に開口する溝部を画定する対向壁の先端縁より、図２と図３において水平に延在する片８と、固定片９を備える内部材１０とからなる。センターピラー２はスチール板をプレス加工することで形成される。
【００１３】
内部材１０はウェザーストリップを介して車体のアウタパネル１１に対向する。１２はインナパネル、１３は室内側のトリムを示す。
【００１４】
内部材１０の固定片９に、固定片の長手方向に沿う複数個の離間した突起１４を形成する。突起１４の高さは固定片９の板厚寸法の０．６〜０．８倍、幅寸法を板厚寸法相当、長さを板厚寸法の５〜１０倍の長円形状とさせる。
このような突起１４を有する固定片９が外部材７にプロジェクション溶接される。勿論、突起１４を外部材７側に設けても良い。
【００１５】
突起１４を内又は外部材１０，７のプレス成形時に内又は外部材１０，７の加工と同時に形成できるので、突起１４の形成のための別作業を必要としない。
【００１６】
固定片９の幅寸法（ｌ）は、スポット溶接に必要な幅寸法（ｌ）に対して約０．３倍の寸法でよく、固定片９の車体の出入口開口方向への突出量を相当に短縮できる。即ち、プロジェクション溶接に必要な突起１４の最小幅寸法を確保する幅寸法を固定片９にとれば良いので見栄えの向上は相当なものとなる。
【００１７】
内部材１０の片８の先端縁は、外部材７の対応部分にカールリングにより固定される。
【図面の簡単な説明】
【００１８】
【図１】ドアフレーム装置の正面図である。
【図２】図１の矢視II−IIより見た断面図である。
【図３】センターピラーの断面図である。
【図４】内部材に設けた突起の断面図である。
【図５】突起の平面図である。
【符号の説明】
【００１９】
１    ドアフレーム装置
２    センターピラー
３    ロアフレーム
４    メインフレーム
７    外部材
９    固定片
１０    内部材
１４    突起
【図１】
2005053289.tif 000003
【図２】
2005053289.tif 000004
【図３】
2005053289.tif 000005
【図４】
2005053289.tif 000006
【図５】
2005053289.tif 000007
(57)【要約】【課題】カラオケで、自分が唄いたい曲を探す時、その都度多数収録されているリクエスト本から探したり、その都度記入する手間と時間を短縮して、自分の好きな曲が自分の声域で無理なく唄える様にする。【解決手段】自分の好きな唄の（１）曲名（２）リクエストナンバー（３）キー設定（５）唄う人の氏名を一枚のカードに記入しておく事により、唄いたい曲を忘れたり、その都度リクエストナンバーを探したり、記入する手間をなくし自分の声域で無理なく唄える様にしたものである。又、（４）写真欄は歌手の写真や、自分の写真を貼ったりして楽しめる様に（６）備考欄はカラオケ機種名、よく利用する店名、所在地、ＴＥＬ等を記入しておける様にしたものである。【選択図】    図１
2005156572.tif 000002
【特許請求の範囲】
【請求項１】
曲名欄（１）、リクエストナンバー欄（２）、キー設定欄（３）、写真欄（４）、氏名欄（５）、備考欄（６）を備えたカード。
【発明の詳細な説明】
【０００１】
【発明の属する技術分野】
この発明は、カラオケで唄いたい歌の曲名、唄う人の氏名、リクエストナンバー、自分の声域に合ったキー設定を記入した、または記入出来る様にした一枚のカラオケ用リクエストカードに関するものである。
【０００２】
【従来の技術】
従来、カラオケ機種は多種類あり、その機種で唄える曲のリクエストナンバーを記載してある本より選曲して、専用のリモコンにリクエストナンバーを入力、転送し曲出しをして唄っている。
カラオケ飲食店等では、店に備えた用紙にその都度選曲して歌手名、リクエストナンバー、唄う人の氏名を一曲ごとに記入し、リクエストして唄っている。
【０００３】
【発明が解決しようとする課題】
これは次のような欠点があった。
（１）リクエストナンバーを記載してある本は、曲名別、歌手名別等で通常１万曲以上収録されており、唄いたい曲は多数あり、唄いたい曲のリクエストナンバーは機種で違っているので覚えきれず、その都度、本で探すので時間がかかるし、曲名、歌手名を忘れていると探せない。
（２）カラオケで唄う時、上手く唄えるように自分の声域に合ったキー設定を選ぶが、機種によりキー設定が違っており、その都度、適当にキー設定をするが違っている場合があり、うまく唄えない事がある。
（３）同じ歌を唄う場合でも、その都度リクエスト本よりリクエストナンバーを探し転送したり、用紙に記入して渡して曲出しをしており、手間がかかる。本発明は、これらの欠点を除くためになされたものである。
【０００４】
【課題を解決するための手段】
カラオケで唄う時、曲名、唄う人の氏名、よく使用するカラオケ機種のリクエストナンバー、キー設定を一枚のカードに記入しておくことにより、唄う都度リクエスト本で探す手間がかからず、その都度用紙に記入する事なく、自分の声域で無理なく歌える様にしたものである。
又、１曲ごとのカードなのでファイルする事により、自分のレパートリーが増える楽しみがあり、ジャンル別好きな歌手別にとファイルを変えて整理が出来る。
【０００５】
【発明の実施の形態】
（１）曲名欄、（２）リクエストナンバー欄、（３）キー設定欄、（４）写真欄
（５）氏名欄、（６）備考欄を備えた１枚のカードとする。
【０００６】
【実施例】
以下、本発明の実施例について説明する。
（イ）一枚のカードに自分の好きな曲、唄いたい曲を（１）曲名欄に、よく使用する機種から選んだリクエストナンバーを（２）リクエストナンバー欄に、その曲が無理なく唄える声域を（３）キー設定欄に記入する。
（ロ）自分専用のカードなので（４）写真欄に自分の写真を、（５）氏名欄に自分の氏名を、（６）備考欄には、よく行く店の店名、電話番号、カラオケ機種名等を記入しておく。
【００７】
【発明の効果】
（１）自分がよく唄う曲名、唄う人の氏名、カラオケ機種のリクエストナンバーを記入しておけば次回唄う時に探したり記入する手間がかからない。
（２）キー設定を記載しておけば自分の声域で無理なく唄える。
（３）新曲が出たり、練習して唄える曲が増えても、１曲ごとのカード形式なのでジャンル別、歌手別等ファイルを変えて整理が出来る。
（４）自分が唄える曲がファイル出来て、唄える曲が増える楽しみが持てる。
（５）友達同士がファイルを交換して、相手にリクエストをしたりして楽しく遊べる。
（６）カラオケ飲食店では、客はその都度記入する手間がなくなり、再利用出来き、店側にとっては固定客確保になる。
【図面の簡単な説明】
【図１】本発明の一実施例を示す表面図である。
【符号の説明】
（１）曲名欄
（２）リクエストナンバー欄
（３）キー設定欄
（４）写真欄
（５）氏名欄
（６）備考欄
【図１】
2005156572.tif 000003